(57)【要約】【課題】中継機を介して送信機から受信機へ至る通信データの受信状態を、ユーザが把握可能な受信機を提供する。【解決手段】受信機（３０）は、送信機（１０）から中継機（２０）が受信する通信データの受信状態Ａを取得する受信状態Ａ情報取得部（４３）と、中継機（２０）から受信機（３０）が受信する通信データの受信状態Ｂを検出する受信状態Ｂ検出部（３２）と、受信状態Ａ・Ｂを表示させる受信状態Ｃ合成部（３３）とを備える。【選択図】図１
2015043540.tif 000002
【特許請求の範囲】
【請求項１】
送信機からの通信データを中継機を介して受信する受信機において、
上記送信機から上記中継機が受信する上記通信データの受信状態を示す第１受信状態情報を取得する第１受信状態取得部と、
上記中継機から上記受信機が受信する上記通信データの受信状態を示す第２受信状態情報を検出する第２受信状態検出部と、
上記第１受信状態情報と、上記第２受信状態情報とを表示部に表示させる受信状態表示制御部とを備えていることを特徴とする受信機。
【請求項２】
送信機からの通信データを中継機を介して受信する受信機において、
上記送信機から上記中継機が受信する上記通信データの受信状態を示す第１受信状態情報を取得する第１受信状態取得部と、
上記中継機から上記受信機が受信する上記通信データの受信状態を示す第２受信状態情報を検出する第２受信状態検出部と、
上記第１受信状態情報と、上記第２受信状態情報とのうち受信状態が悪い方を判定する判定部と、
上記判定部が判定した悪い方の受信状態を示す情報を表示部に表示させる受信状態表示制御部とを備えていることを特徴とする受信機。
【請求項３】
上記判定部は、上記第１受信状態情報が、基準の状態より受信状態が悪いか否かを判定する第１判定部と、上記第２受信状態情報が基準の状態より受信状態が悪いか否かを判定する第２判定部とを備え、
上記受信状態表示制御部は、上記第１判定部と上記第２判定部とのうち少なくとも一方が、上記基準の状態より受信状態が悪いと判定すると、受信状態が悪いことを示す情報を表示部に表示させることを特徴とする請求項２に記載の受信機。
【請求項４】
上記受信状態表示制御部は、上記判定部が受信状態が悪いと判定した方の受信状態を示す情報の表示時間を長く、もう一方の受信状態を示す情報の表示時間を短く、上記表示部に順次表示させることを特徴とする請求項２に記載の受信機。
【請求項５】
請求項１〜４の何れか１項に記載の受信機と、
上記送信機からの上記通信データを受信する受信部と、当該通信データの受信状態を検出する第１受信状態検出部と、上記通信データ及び上記検出された通信データの受信状態を示す第１受信状態情報を上記受信機に送信する送信部とを有する中継機と、を備えていることを特徴とする通信システム。
【発明の詳細な説明】
【技術分野】
【０００１】
本発明は中継機を介して送信機から通信データを受信する受信機及び通信システムに関する。
【背景技術】
【０００２】
従来から、送信機から送信された放送波等の通信データ（動画、静止画、音声、文字情報等のコンテンツ情報）を中継機で受信し、中継機が、当該受信した通信データを、表示や音声出力する受信機へ転送する通信システムが知られている。
【先行技術文献】
【特許文献】
【０００３】
【特許文献１】特開２００２‐３５４２８５号公報（２００２年１２月６日公開）
【発明の概要】
【発明が解決しようとする課題】
【０００４】
送信機からの通信データを中継機を介し受信機で受信する通信システムでも、通常、受信機には中継機‐受信機間の受信状態を表示し、送信機‐中継機間の受信状態は表示されない。しかし、中継機を持ち運び可能な場合等、中継機の通信データの受信状態は一定でない場合がある。従来は、送信機から中継機間の受信状態は考慮されず受信機に受信状態が表示されていたため、ユーザは通信システムトータルとして送信機‐受信機間の受信状態を把握できなかった。
【０００５】
本発明は、上記課題を解決するためになされたもので、その目的は、中継機を介して送信機から受信機へ至る受信状態を、ユーザが把握可能な受信機を提供することである。
【課題を解決するための手段】
【０００６】
上記の課題を解決するために、本発明の一態様に係る受信機は、送信機からの通信データを中継機を介して受信する受信機において、上記送信機から上記中継機が受信する上記通信データの受信状態を示す第１受信状態情報を取得する第１受信状態取得部と、上記中継機から上記受信機が受信する上記通信データの受信状態を示す第２受信状態情報を検出する第２受信状態検出部と、上記第１受信状態情報と、上記第２受信状態情報とを表示部に表示させる受信状態表示制御部とを備えている。
【０００７】
上記の課題を解決するために、本発明の一態様に係る受信機は、上記第１受信状態取得部と、上記第２受信状態検出部とに加えて、上記第１受信状態情報と、上記第２受信状態情報とのうち受信状態が悪い方を判定する判定部と、上記判定部が判定した悪い方の受信状態を示す情報を表示部に表示させる受信状態表示制御部とを備えている。
【発明の効果】
【０００８】
本発明の一態様によれば、上記送信機、上記中継機、及び上記受信機間全体の通信データの受信状態をユーザに視認させることができるという効果を奏する。
【図面の簡単な説明】
【０００９】
【図１】実施形態１の通信システムの機能ブロック図である。
【図２】上記通信システムの表示部に表示される受信状態の例を示す図である。
【図３】上記通信システムのフローチャートを示す図である。
【図４】実施形態２の通信システムの機能ブロック図である。
【図５】上記通信システムのフローチャートを示す図である。
【図６】上記通信システムの変形例１を示す機能ブロック図である。
【図７】上記通信システムの表示部に表示される受信状態の表示例を示す図である。
【図８】上記通信システムのフローチャートを示す図である。
【図９】上記通信システムの変形例２のフローチャートを示す図である。
【図１０】実施形態３の通信システムの機能ブロック図である。
【図１１】上記通信システムのフローチャートを示す図である。
【図１２】実施形態３に係る通信システムの変形例１の機能ブロック図である。
【図１３】上記通信システムのフローチャートを示す図である。
【図１４】実施形態３に係る通信システムの変形例２のフローチャートを示す図である。
【発明を実施するための形態】
【００１０】
〔実施形態１〕
（通信システム１の構成及びフローチャート）
図１は実施形態１の通信システム１のブロック図である。通信システム１は通信データ（動画、静止画、音声、文字情報等）を送信する送信機１０、上記通信データを受信機３０へ送信する中継機２０及び中継機２０を介し送信機１０から通信データを受信する受信機３０を備える。送信機１０はＴＶ等の放送波を送信する電波塔や通信機等、又はＰＤＣ（Personal Digital Cellular）やＣＤＭＡ(Code Division Multiple Access)等データ通信システムで使用される基地局等である。中継機２０の一例はチューナ機能付きモバイルＷｉＦｉ（登録商標）ルータである。受信機３０の一例はＷｉＦｉ機能付き携帯電話端末、ノート型ＰＣ、又はデスクトップ型ＰＣである。なお、送信機１０‐中継機２０‐受信機３０間は無線通信として説明する。有線通信の場合と比べ無線通信の場合、通信状態が時間経過と共に変化するため本発明を適用する利点が高い。しかし、送信機１０‐中継機２０‐受信機３０間は無線通信に限定されず通信経路の一部または全部が有線通信でもよい。中継機２０は、受信部２１、受信状態Ａ検出部（第１受信状態検出部）２２、受信状態Ａ情報重畳部２３、送信部２４及び主制御部２５を備える。主制御部２５は中継機２０の動作を総合制御する。受信機３０は受信部３１、通信データ制御部４０、受信状態Ｂ検出部（第２受信状態検出部）３２、受信状態Ｃ合成部（受信状態表示制御部）３３、主制御部３５及び表示部３６を備える。通信データ制御部４０は、通信データ復号部４１、コンテンツ情報取得部４２及び受信状態Ａ情報取得部（第１受信状態取得部）４３を備える。主制御部３５は、受信機３０の動作を総合的に制御する。
【００１１】
図３は通信システム１の処理の流れを表すフローチャートである。中継機２０の受信部２１は送信機１０から通信データを受信し（Ｓ１０１）、受信状態Ａ情報重畳部２３へ出力する。受信状態Ａ検出部２２は受信部２１が通信データの受信を開始すると受信部２１が受信している通信データにおける信号強度の受信状態（第１受信状態）Ａを検出し（Ｓ１０２）、受信状態Ａを示す情報である受信状態Ａ情報（第１受信状態情報）を受信状態Ａ情報重畳部２３へ出力する。受信状態Ａ検出部２２は信号強度でなく送信機１０から中継機２０への単位時間当たりの最大通信速度（１０Ｍｂｐｓ等）に対し受信部２１が受信中の通信データの受信速度を受信状態Ａとして検出してもよい。受信状態Ａは通信システム１のうちの送信機１０から中継機２０間の通信データの受信状態を示す。次に、受信状態Ａ情報重畳部２３は、上記受信状態Ａ情報を上記通信データに重畳し（Ｓ１０３）、当該通信データを送信部２４に出力する。送信部２４は上記通信データを受信機３０へ送信する。
【００１２】
受信機３０の受信部３１は、送信部２４から通信データを受信すると（Ｓ１０４）、通信データ制御部４０へ出力する。受信部３１が通信データの受信を開始すると受信状態Ｂ検出部３２は、受信部３１が受信中の通信データの信号強度を示す受信状態（第２受信状態情報）Ｂを検出し（Ｓ１０５）、受信状態Ｂを示す情報である受信状態Ｂ情報（第２受信状態情報）を受信状態Ｃ合成部３３へ出力する。受信状態Ｂ検出部３２は、通信データの信号強度ではなく、中継機２０から受信機３０への単位時間当たりの最大通信速度（例えば、１０Ｍｂｐｓ）に対し受信部３１が送信部２４から受信している通信データの受信速度を受信状態Ｂとして検出してもよい。受信状態Ｂは、通信システム１のうちの中継機２０から受信機３０間の通信データの受信状態を示す。通信データ復号部４１は、通信データ制御部４０が受信部３１から取得した通信データを復号化し、コンテンツ情報取得部４２は復号化された通信データからコンテンツ情報（動画、静止画、音声、文字情報等）を取得し表示部３６に出力し表示部３６にコンテンツ情報の内容を表示させる。受信状態Ａ情報取得部４３は通信データ復号部４１によって復号化された通信データに重畳されている受信状態Ａ情報を取得し受信状態Ｃ合成部３３へ出力する。次に、受信状態Ｃ合成部３３は受信状態Ａ情報及び受信状態Ｂ情報を取得すると、受信状態Ａ・Ｂを合成し受信状態Ｃを生成し（Ｓ１０６）、受信状態Ｃを示す情報（受信状態Ｃ情報）を表示部３６へ出力する。表示部３６は受信状態Ｃを表示する（Ｓ１０７）。受信状態Ｃは一例として受信状態Ａ・Ｂを表すアンテナピクトである。表示部３６は、受信状態Ｃ合成部３３から受信状態Ｃ情報を取得すると主制御部３５からの指示により画像表示部の任意位置のピクト表示領域に受信状態Ｃを示すアンテナピクトを表示する。これにより、受信状態Ａに加え、受信状態Ｂも表示部３６に表示されるため、送信機１０、中継機２０、及び受信機３０間全体の通信システム１の受信状態をユーザに視認させることができる。
【００１３】
Ｓ１０３で、受信状態Ａ情報重畳部２３が通信データに受信状態Ａ情報を重畳する方法は種々可能だが、一例として、送信機１０から受信した通信データに受信状態Ａ情報を示す情報ビット（列）の付加により通信データへの受信状態Ａ情報の重畳が可能である。このとき、受信状態Ａ情報重畳部２３は、受信状態Ａの良・不良を決める閾値が予め設定されている場合、その閾値を示す情報（閾値情報）を示す情報ビット（列）を、さらに、通信データに付加することで通信データに閾値情報を重畳するようにしてもよい。
【００１４】
また、通信データに受信状態Ａを重畳せず、通信データとは別に受信状態Ａを中継機２０から受信機３０へ送信する場合、Ｓ１０３で、受信状態Ａ検出部２２は受信状態Ａ情報を送信部２４へ送信した後、送信部２４は受信部２１から受信状態Ａ情報が非重畳の通信データを受信機３０へ送信する。この場合、受信状態Ａ情報重畳部２３を省略してもよい。また、受信状態Ａの閾値が設定されている場合、送信部２４は主制御部２５からの指示により受信状態Ａ情報に加え閾値情報も受信機３０へ出力してもよい。なお、有線通信と無線通信とが混在する場合、受信状態Ｃは通信状態が不安定になり易い無線通信区間の受信状態を優先的に表示してもよい。例えば、送信機‐中継機間が無線通信、中継機‐受信機間が有線通信の場合、受信状態Ｃとして受信状態Ａを常に表示する。
【００１５】
（受信状態Ｃの表示例）
図２は、受信状態Ｃを表すアンテナピクトの表示例を示す図である。例えば受信状態Ｃは最大６本（受信状態Ａ・Ｂそれぞれ最大３本ずつ）のアンテナを有するアンテナピクトがピクト表示領域に表示される。又は、受信状態Ｃを受信状態Ａが５０％、受信状態Ｂが５０％等数値で表示してもよい。また、受信状態Ｃのうち受信状態Ａは赤、受信状態Ｂを青のアンテナで表示する等、受信状態Ａ・Ｂ間で異なる色や形で表示しそれぞれの状態の判断を可能としてもよいし、同じ色や形でもよい。
【００１６】
図２の（ａ）〜（ｄ）は受信状態Ｃとして受信状態Ａ・Ｂをそのまま並べて又は重畳する表示例である。受信状態Ａのアンテナが２本以下でも受信状態Ｂのアンテナ表示領域を詰めない。図２の（ｃ）では受信状態Ａを表す３本のアンテナ表示と受信状態Ｂの圏外表示とが重畳されている。図２の（ｄ）では黒い太線で示す受信状態Ａと、白抜き線で示す受信状態Ｂとが重畳されている。
【００１７】
図２の（ａ）〜（ｄ）の表示例では、受信状態Ｃ合成部３３は受信状態Ａ情報及び受信状態Ｂ情報それぞれから予め設定しておいたアンテナ表示本数テーブルより表示する受信状態Ａのアンテナ本数、受信状態Ｂのアンテナ本数をそれぞれ決定する。そして、受信状態Ｃ合成部３３は、受信状態Ｃとして表示部３６に受信状態Ａのアンテナ本数を受信状態Ａのピクト表示領域に表示させ、受信状態Ｂのアンテナ本数を受信状態Ｂのピクト表示領域に表示させる。また、受信状態Ｃ合成部３３は受信状態Ａ・Ｂそれぞれのアンテナを重畳した画像を受信状態Ｃとして表示部３６に表示させてもよい。なお、アンテナ表示本数テーブルは受信状態Ａ・Ｂそれぞれ個別又は同一のテーブルを受信状態Ｃ合成部３３に記憶しておいてもよいし、別途記憶部を設け当該記憶部に記憶しておいてもよい。
【００１８】
図２の（ｅ）〜（ｋ）は受信状態Ａ・Ｂを合わせたアンテナを一つの受信状態Ｃとして表示する例である。図２の（ｅ）（ｆ）では、受信状態Ａのアンテナを赤、受信状態Ｂのアンテナを青色で表示する等している。受信状態Ａのアンテナが２本以下の場合、受信状態Ｂのアンテナ表示領域を詰める。なお、受信状態Ａ・Ｂそれぞれを示すアンテナの色分けをせず同色表示してもよい。図２の（ｇ）では受信状態に関係なく受信状態Ａを左側、受信状態Ｂを右側に表示している（位置固定）。図２の（ｈ）は受信状態Ａ・Ｂのうち受信状態が悪い方を左側に、良い方を右側に表示している（表示位置が受信状態によって変化する）。
【００１９】
図２の（ｉ）では受信状態Ｂを示すアンテナの頭頂部に円を付している。図２の（ｊ）では細い方が受信状態Ａであり太い方が受信状態Ｂを示す。図２の（ｋ）では、受信状態Ａ・Ｂとのうち一方が圏外なら、他方の受信状態に関わらず、受信状態が悪いことを示す情報である「圏外」と表示する例である。図２の（ｅ）（ｆ）では、受信状態Ｃ合成部３３は、受信状態Ａ情報及び受信状態Ｂ情報それぞれから、予め設定しておいたアンテナ表示本数テーブルより、表示する受信状態Ａ・Ｂのアンテナ本数を決定する。そして、受信状態Ｃ合成部３３は、受信状態Ｃとして、表示部３６に受信状態Ａのアンテナ本数をピクト表示領域に表示させ、続けて受信状態Ｂのアンテナ本数をピクト表示領域に表示させる。また、受信状態Ｃ合成部３３は、受信状態Ａのアンテナ本数と、受信状態Ｂのアンテナ本数とを重畳した画像を受信状態Ｃとして表示部３６に表示させてもよい。
【００２０】
〔実施形態２〕
図４は実施の形態２に係る通信システム１ａの構成を表す機能ブロック図である。通信システム１ａは受信機３０に替えて受信機３０ａを有する点で通信システム１と相違する。受信機３０ａは受信機３０に比較部（判定部）３８を加えた構成である。
【００２１】
図５は通信システム１ａの処理の流れを表すフローチャートである。通信システム１ａは、図３に示したＳ１０１〜Ｓ１０５の処理後、受信状態Ｂ検出部３２は、受信部３１が受信中の通信データの受信状態Ｂを検出し（Ｓ１０５）受信状態Ｂ情報を比較部３８へ出力する。受信状態Ａ情報取得部４３は通信データ復号部４１が復号化した通信データから受信状態Ａ情報を取得し比較部３８へ出力する。次に、比較部３８は、受信状態Ａ・Ｂの受信状態を比較し、受信状態の悪い方を判定する（Ｓ２０６）。受信状態Ａの方が受信状態が良い場合（Ｓ２０６のＹＥＳ）、比較部３８は比較結果として受信状態Ｂの方が受信状態が悪い旨の情報を受信状態Ｃ合成部３３へ出力する。次に、受信状態Ｃ合成部３３は、比較部３８から取得した受信状態が悪い方のみである受信状態Ｂを受信状態Ｃとし（Ｓ２０７）、受信状態Ｃ情報を表示部３６へ出力し、表示部３６は受信状態Ｃを表示する（Ｓ２０８）。また、Ｓ２０６で、比較部３８が受信状態Ａの方が受信状態が悪いと判定すると（Ｓ２０６のＮＯ）、比較結果として受信状態Ａの方が受信状態が悪い旨の情報を受信状態Ｃ合成部３３へ出力する。次に、受信状態Ｃ合成部３３は、比較部３８から取得した受信状態が悪い方のみである受信状態Ａを受信状態Ｃとし（Ｓ２０９）受信状態Ｃ情報を表示部３６へ出力し、表示部３６は受信状態Ｃを表示する（Ｓ２０８）。
【００２２】
以上より、送信機１０、中継機２０、及び受信機３０ａ間の通信システム１ａ全体の受信状態Ａ・Ｂのうち一方だけを、表示部３６の極小スペースであるピクト表示領域に表示することで、両方を表示する場合と比べ、当該極小スペースであるピクト表示領域における表示を簡素化し視認性の向上が可能である。または、ピクト表示領域が小さくて済む。
【００２３】
Ｓ２０６において比較部３８による受信状態Ａ・Ｂの比較は、例えばそれぞれの最大受信状態に対する比率等の使用が可能である。一例として受信状態Ａ＝６Ｍｂｐｓ／Ｍａｘ１２Ｍｂｐｓ＝５０％，受信状態Ｂ＝９Ｍｂｐｓ／Ｍａｘ３０Ｍｂｐｓ＝３０％なら受信状態Ｂより受信状態Ａの方がよい。また比較部３８は受信状態Ａ・Ｂのうち何れかが圏外なら圏外である情報を受信状態Ｃ合成部３３へ出力し受信状態Ｃを生成してもよい。
【００２４】
（変形例１）
図６は実施形態２の変形例１の通信システム１ｂの機能ブロック図である。通信システム１ｂは送信機１０、中継機２０ｂ及び受信機３０ｂを備える。中継機２０ｂは中継機２０の受信状態Ａ情報重畳部２３に替えて受信状態Ａ情報重畳部２３ｂを備え、さらに、記憶部２９を備えている点で中継機２０と相違する。受信機３０ｂは通信システム１ａの受信機３０ａから比較部３８を省略し、通信データ制御部４０ａに替えて通信データ制御部４０ｂを備え、さらに受信状態Ｂ閾値判定部（判定部、第２判定部）３４及び記憶部３９を備える点で受信機３０ａと相違する。通信データ制御部４０ｂは受信状態Ａ閾値判定部（判定部、第１判定部）４４を備えている点で通信データ制御部４０と相違する。記憶部２９には予め受信状態Ａの受信状態の良否判定用の閾値（基準）を示す閾値情報が記憶されている。記憶部３９には予め受信状態Ｂの受信状態の良否判定用の閾値（基準）を示す閾値情報が記憶されている。
【００２５】
図８のように、通信システム１ｂはＳ１０１を経て、受信状態Ａ検出部２２が受信状態Ａを検出し（Ｓ１０２）、受信状態Ａ検出部２２は受信状態Ａ情報を受信状態Ａ情報重畳部２３へ出力する。受信状態Ａ情報重畳部２３ｂは記憶部２９から取得した閾値情報と受信状態Ａ情報とを通信データに重畳し（Ｓ３０３）、送信部２４を介し上記通信データを受信機３０へ送信する。次に、Ｓ１０４、Ｓ１０５後、受信状態Ｂ検出部３２は、受信状態Ｂを検出し、受信状態Ｂ情報を受信状態Ｂ閾値判定部３４へ出力する。また、通信データ制御部４０ｂでは、受信部３１から取得した通信データを通信データ復号部４１が復号化し、受信状態Ａ情報取得部４３ｂは当該通信データから受信状態Ａ情報及び閾値情報を取得し、受信状態Ａ閾値判定部４４は上記受信状態Ａ情報と閾値情報とを比較し、受信状態Ａ閾値判定部４４が受信状態Ａは閾値以上である（受信状態Ａが良好）と判定後（Ｓ３０６のＹＥＳ）、受信状態Ａが良好である旨の情報を受信状態Ｂ閾値判定部３４へ出力する。すると、受信状態Ｂ閾値判定部３４は、記憶部３９から受信状態Ｂの閾値を示す閾値情報を取得し、受信状態Ｂ情報と受信状態Ｂの閾値情報とを比較し、受信状態Ｂが閾値以上である（受信状態Ｂが良好）と判定すると（Ｓ３０７のＹＥＳ）受信状態Ａ・Ｂが良好である旨の情報を受信状態Ｃ合成部３３ｂへ出力する。すると、受信状態Ｃ合成部３３ｂは、受信状態Ｃを「高」（受信状態Ａ・Ｂとも良好情報）とする（Ｓ３０８）。受信状態Ｃ合成部３３ｂは受信状態Ｃ情報を表示部３６へ出力し、表示部３６は受信状態Ｃを表示する（Ｓ３０９）。
【００２６】
Ｓ３０７にて受信状態Ｂ閾値判定部３４は、受信状態Ｂ情報が閾値情報未満である（不良）と判定すると（Ｓ３０７のＮＯ）、判定結果として受信状態Ｂは不良情報（受信状態が悪いことを示す情報）を受信状態Ｃ合成部３３ｂへ出力する。すると受信状態Ｃ合成部３３ｂは受信状態Ｂを受信状態Ｃとする（Ｓ３１０）。受信状態Ｃ合成部３３は受信状態Ｃ情報を表示部３６へ出力し、表示部３６は受信状態が悪いことを示す情報として受信状態Ｃを表示する（Ｓ３０９）。
【００２７】
Ｓ３０６にて受信状態Ａ閾値判定部４４は、受信状態Ａ情報が閾値情報未満（受信状態Ａが不良）と判定すると（Ｓ３０６のＮＯ）、受信状態Ａは不良情報を受信状態Ｂ閾値判定部３４へ出力する。すると、受信状態Ｂ閾値判定部３４は記憶部３９から受信状態Ｂの閾値を示す閾値情報を取得し、受信状態Ｂ情報と受信状態Ｂの閾値情報とを比較し、受信状態Ｂが閾値以上であると判定すると（Ｓ３１１のＹＥＳ）、受信状態Ａは不良・受信状態Ｂは良好情報を受信状態Ｃ合成部３３ｂへ出力する。受信状態Ａは不良・受信状態Ｂは良好情報を、受信状態Ｃ合成部３３ｂが取得すると、受信状態が悪いことを示す情報である受信状態Ａを受信状態Ｃとする（Ｓ３１２）。受信状態Ｃ合成部３３は、受信状態Ｃ情報を表示部３６へ出力する。受信状態Ｃ合成部３３ｂは、受信状態Ｃ情報を表示部３６へ出力し、受信状態Ｃを表示させる（Ｓ３０９）。
【００２８】
Ｓ３１１にて、受信状態Ｂ閾値判定部３４は、受信状態Ｂ情報が閾値未満であると判定し（Ｓ３１１のＮＯ）、受信状態Ａ・Ｂの何れか一方又は両方が圏外なら（Ｓ３１３のＹＥＳ）圏外情報を受信状態Ｃ合成部３３ｂへ出力する。すると、受信状態Ｃ合成部３３ｂは受信状態Ｃを圏外（受信状態が悪いことを示す情報）とする（Ｓ３１４）。受信状態Ｃ合成部３３ｂは受信状態Ｃ情報を表示部３６へ出力し、表示部３６は、受信状態Ｃを表示する（Ｓ３０９）。Ｓ３１３にて、受信状態Ａ・Ｂの何れか一方又は両方が圏外でなければ（Ｓ３１３のＮＯ）、受信状態Ｂ閾値判定部３４は、受信状態Ａ・Ｂとも不良情報を受信状態Ｃ合成部３３ｂへ出力する。すると、受信状態Ｃ合成部３３ｂは、受信状態Ｃを、受信状態が悪いことを示す情報として「低」とする（Ｓ３１５）。受信状態Ｃ合成部３３ｂは、受信状態Ｃ情報を表示部３６へ出力し、表示部３６は受信状態Ｃを表示する（Ｓ３０９）。なお、必ずしもＳ３０６・Ｓ３０７・Ｓ３１１・Ｓ３１３の判定条件全てを備える必要はない。例えば、Ｓ３１４で受信状態Ａ・Ｂのうち悪い方を表示してもよい。またＳ３０８、Ｓ３１０、Ｓ３１２、Ｓ３１４、Ｓ３１５において、Ｓ３０８で「良」、Ｓ３１４で受信状態が悪いことを示す情報として「不可」、それ以外を受信状態が悪いことを示す情報として「不良」としてもよい。
【００２９】
図７は表示部３６のピクト表示領域に表示される受信状態Ｃの表示例を表す図である。図７の（ａ）（ｃ）は、受信状態Ａ・Ｂ両方が閾値以上である旨を表示している。図７の（ｂ）（ｄ）は、受信状態Ａ・Ｂ両方が閾値未満である旨を表示している。受信状態Ｃの表示の色や形を受信状態Ａと受信状態Ｂとで異ならせることで、受信状態Ａ・Ｂで何れが表示されているかをユーザに認識させることができる。
【００３０】
以上のように、受信状態Ｃ合成部３３ｂは、受信状態Ａ閾値判定部４４と、受信状態Ｂ閾値判定部３４とのうち一方が受信状態が閾値未満だと判定すると、受信状態は不良情報を受信状態Ｃとして生成し表示部３６に表示させる。このため、送信機１０、中継機２０ｂ、及び受信機３０ｂ間全体の通信システム１ｂの受信状態をユーザに視認可能である共に、受信状態Ａ・Ｂの何れか一方だけの受信状態が悪いことを表示部３６に表示すればよいため視認性の向上が可能である。
【００３１】
例えば、受信状態Ｃ合成部３３ｂは、受信状態Ａ又はＢの何れかがある閾値以上（例えば受信レベル５０％以上、受信レート５Ｍｂｐｓ以上（最大１０Ｍｂｐｓ））なら他方の受信状態Ｂ又は受信状態Ａを受信状態Ｃとする。これは、受信状態Ａ又は受信状態Ｂがある閾値以上なら通信システム１ｂ全体の受信状態に対し気にする必要がなく、他方のある閾値以下の受信状態Ｂ又は受信状態Ａが通信システム１ｂ全体における受信状態に対し影響力が大きくなるためである。
【００３２】
受信状態Ａ・Ｂの良否判定用閾値は、例えば、動画の場合、音切れや画像が劣化せず受信可能な状態等、安定的に通信データを受信可能な値（例えば、受信レベル５０％以上、受信レート５Ｍｂｐｓ以上（最大１０Ｍｂｐｓ））が好ましい。又は受信状態Ａ・Ｂの良否判定用閾値は、受信中の情報種別や単位時間当たりの情報量により切り替えてもよい。事前に受信データの種別に応じた受信状態のレベルを記憶部２９・３９に設定し、通信データの受信中のデータ量を計測し、受信データの種別に応じた閾値を切り替え、記憶部２９・３９に記憶する。リアルタイム視聴が必要な通信データは、予め決められた受信レートを下回ると音切れや画像の乱れを生じる。また、動画等の容量の大きなデータは高速な転送が必要（例：５Ｍｂｐｓ以上）である。一方、リアルタイム性が求められない通信データや、容量が小さいファイル（静止画やテキスト等）は低速でもよい（２Ｍｂｐｓ程度等）。
【００３３】
受信機３０ｂは、受信状態Ａ閾値判定部４４・記憶部３９を有し、受信状態Ａの閾値を受信機３０ｂ側で変更が可能である。例えば、通信データの情報種別（テキストデータ、静止画、動画、動画のリアルタイム視聴）や単位時間当たりの情報量、再送制御の発生頻度等により予め設定したそれぞれの情報転送に最低限必要な速度を決定し、これに応じ、受信機３０ｂ側で閾値の変更が可能である。例えば、リアルタイム性が不要で再送処理による受信が可能な場合は閾値を低くする。一方、リアルタイム性が必要な動画等は閾値を高く設定する。なお、中継機側でも同様の判断は可能だが、通常ユーザが情報を閲覧するのは受信機であり、受信したデータをデコード処理する等情報種別の判定も、通常、受信機３０ｂ側で行われる。また、ユーザにより記憶部３９の閾値が変更されてもよい。この場合も、受信状態Ａ閾値判定部４４と受信状態Ｂ閾値判定部３４との両方を備えるため、一つの受信機３０ｂで受信状態Ａ・Ｂ両方の閾値の変更が可能である。さらに、閾値を受信状態Ａ・Ｂで共通使用し「Ａ、Ｂ共通設定／Ａ，Ｂ個別設定」をユーザが選択可能・閾値の値の設定可能としてもよい。また、受信状態Ａ情報重畳部２３ｂは記憶部２９から取得した閾値及び受信状態Ａ検出部２２から取得した受信状態Ａから受信状態Ａが閾値未満であるか否かを判定し、その結果を送信部２４に出力し、送信部２４は当該判定結果を受信機３０ｂに送信してもよい。この中継機２０ｂ側で受信状態Ａが閾値未満であるかを判定し結果を受信機３０ｂへ送信する構成によると、通信システム１ｂにて、中継機２０ｂとして、複数の中継機が設置され、受信機３０ｂの居場所によって異なる中継機を使用する場合（但し１度に接続する中継機は一つ）、中継機毎に閾値が異なっても中継機の変更毎に受信機３０ｂ側の設定変更が不要であり、どの中継機を接続しても共通処理可能であり利便性が向上する。
【００３４】
（変形例２）
図４で示した通信システム１ａにて、受信状態Ａ・Ｂを順次表示切替してもよい。受信状態Ａ・Ｂを同時間ずつ表示したり、受信状態が悪い方又は変動量が大きい方の表示時間を長くすることで優先表示したり、ユーザ設定等により表示時間を自由に設定可能とする。受信状態Ａ・Ｂのうち受信状態の悪い方が通信システム全体としての受信状態への影響が大きいため、受信状態の悪い方を優先表示した方がよい。しかし他方も時間経過と共に受信状態が変化し、受信状態が不良となる場合があるため、他方も表示することが好ましい。
【００３５】
受信状態Ａ・Ｂの表示時間は通信システム１ａの主制御部３５に予め記憶しておく。この場合、受信状態Ａ・Ｂのうち明らかに受信状態が悪い又は変動量が大きい方の表示時間を長くし表示することで優先的に表示し表示の切替えをする。受信状態Ａ・Ｂの変動が同程度の場合、受信状態Ａ・Ｂ・Ａ省略・〜〜の順に２秒表示等を繰り返す。又は、受信状態Ａ・Ｂが共に変動する場合（受信状態Ａの方が不安定）、受信状態Ａ・Ｂ・Ａ・〜〜の表示を順に８秒・２秒・８秒・・・等とする。又は、受信状態Ａが時間帯により悪くなる場合、次のように時間帯により受信状態Ｃとして表示する受信状態Ａ・Ｂを切り替えてもよい。ＡＭ８時〜ＡＭ９時は受信状態Ａを、ＡＭ９時〜ＰＭ６時は受信状態Ｂを、ＰＭ６時〜ＰＭ７時は受信状態Ａを、ＰＭ７時〜ＡＭ７時は受信状態Ｂをそれぞれ表示する。これは、通勤時間は移動により受信状態Ａが不安定となり、勤務中及び在宅中は中継機２０を固定することで受信状態Ａが安定する一方、受信状態Ｂが不安定になる可能性があるためである。又は、受信状態Ａ・Ｂの受信状態により受信状態Ｃの表示時間を切り替えてもよい。この場合、受信状態Ａ・Ｂの受信状態を計測・比較し、受信状態が悪い方の時間が長くなるように設定し、主制御部３５に表示時間を記憶する。（例１）予め決定した時間（悪い方８秒、良い方２秒等）に変更する。この場合、計測・比較結果より受信状態Ａ・Ｂの良否が逆になると表示時間も逆にする。（例２）比較結果の状況により時間設定を切り替える。例えば受信状態Ａの受信レベルが８０％、受信状態Ｂの受信レベルが４０％の場合、受信状態Ａ・Ｂの表示時間の割合を受信レベルの逆比である１：２（８０％：４０％）とする。
【００３６】
図９は通信システム１ａの変形例２の処理の流れを表すフローチャートである。同フローチャートは図５のフローチャートに付随して処理される。通信システム１ａは、図５に示すＳ１０１〜Ｓ１０５の処理後、比較部３８は受信状態Ａ情報と受信状態Ｂ情報とを比較し（Ｓ３５１）、受信状態が悪い方を受信状態Ｃ合成部３３へ出力する。主制御部３５は、受信状態Ｃ合成部３３が取得した比較結果から受信状態が悪い方を長くタイマ値を設定し（Ｓ３５２）、タイマを開始する（Ｓ３５３）。次に、Ｓ１０１〜Ｓ１０５の処理後、主制御部３５がタイマ満了と判定すると（Ｓ３５４のＹＥＳ）受信状態Ｃ合成部３３は表示部３６に受信状態Ａが表示中なら受信状態Ｂを、受信状態Ｂが表示中なら受信状態Ａを受信状態Ｃとし、受信状態Ｃを変更する（Ｓ３５４）。なおＳ３５４でタイマが満了していない場合（Ｓ３５４のＮＯ）、Ｓ３５５を飛ばし次のＳ３５６を処理する。次に、比較部３８は受信状態Ａ・Ｂの何れかが圏外と判定すると（Ｓ３５６のＹＥＳ）、判定結果を受信状態Ｃ合成部３３に出力し、受信状態Ｃ合成部３３が受信状態Ｃを圏外とする（Ｓ３５７）。Ｓ３５６で受信状態Ａ・Ｂの何れも圏外でない場合（Ｓ３５６のＮＯ）Ｓ３５７を飛ばし次のＳ３５８を処理する。受信状態Ｃ合成部３３はＳ３５５又はＳ３５７で生成した受信状態Ｃ情報を表示部３６へ出力し、受信状態Ｃを表示させる（Ｓ３５８）。なお、Ｓ３５１・Ｓ３５２は受信状態Ａと受信状態Ｂとの状態により主制御部３５のタイマ値を変更する場合に追加すればよい。また、Ｓ３５６とＳ３５７とは受信状態Ａ・Ｂとの何れかが圏外の場合に「圏外」と表示部３６に表示する場合に追加すればよい。
【００３７】
以上より、変形例２の受信機３０ｂでは、受信状態Ａ・Ｂのうち、受信状態Ｃ合成部３３は主制御部３５が時間を長く設定した方の受信状態の表示時間を長く表示することで所定時間毎に優先的に表示し、主制御部３５が時間を短く設定したもう一方の受信状態の表示時間を短く表示部３６に表示させる。これにより、受信状態Ａと受信状態Ｂとのうち、何れか一方だけを表示部３６の極小スペースであるピクト表示領域に表示することで、両方を表示する場合と比べて、当該極小スペースであるピクト表示領域における表示を簡素化し視認性を向上させることができる。または、ピクト表示領域が小さくて済む。さらに、受信状態Ａと、受信状態Ｂとのうち受信状態が悪くない方の受信状態も表示することで、当該受信状態が悪くない方の受信状態の変化もユーザに視認させることができ、利便性を向上させることができる。
【００３８】
〔実施形態３〕
図１０は第３の実施形態に係る通信システム１Ｎの構成を表す機能ブロック図である。通信システム１Ｎは、送信機１０、Ｎ個の中継機２０Ｎｎ（ｎ＝１〜Ｎの整数）及び受信機３０Ｎを備える。中継機２０Ｎｎは、受信部２１Ｎｎ、受信状態Ａｎ検出部（第１受信状態検出部）２２Ｎｎ、受信状態Ａｎ情報重畳部２３Ｎｎ、送信部２４Ｎｎ、主制御部２５Ｎｎ及び記憶部２９Ｎｎを備える。受信機３０Ｎは、受信部３１Ｎ、通信データ制御部４０Ｎ、受信状態Ｂ検出部３２Ｎ、受信状態Ｂ閾値判定部３４Ｎ、受信状態Ｃ合成部３３Ｎ、主制御部３５Ｎ、表示部３６及び記憶部３９Ｎを備える。なお、送信機１０‐中継機２０Ｎ１間、又は中継機２０Ｎｎ間、又は中継機２０ＮＮ‐受信機３０Ｎ間は無線・有線通信何れでもよい。有線・無線通信が混在する場合、受信状態Ｃとして無線通信区間の通信状態を優先表示してもよい。無線通信区間が複数存在する場合、無線通信区間の受信状態のうちトータルとして通信に影響の高いものを優先表示したり時間で表示切替をしたりしてもよい。例えば、各装置の受信状態の比較対象を、有線通信区間を除外し無線通信区間のみとし、以下の処理を行う。
【００３９】
図１１は通信システム１Ｎの処理の流れを表すフローチャートである。Ｓ４０１・Ｓ４０２・Ｓ４０３はＳ１０１・Ｓ１０２・Ｓ３０３と同様である。Ｓ４０３で受信状態Ａ１情報重畳部２３Ｎ１は、受信状態Ａ１情報及び閾値情報を通信データに重畳し（Ｓ４０３）、送信部２４Ｎ１は上記通信データを次段の中継機２０Ｎｎへ送信する。中継機２０Ｎｎで、受信部２１Ｎｎが前段の中継機Ｎｎ−１の送信部２４Ｎｎ−１から通信データを受信すると（Ｓ４０４）、Ｓ１０２、Ｓ３０３と同様、受信状態Ａｎ検出部２２Ｎｎは受信状態Ａｎを検出し、受信状態Ａｎ情報重畳部２３Ｎｎは、受信状態Ａｎ情報及び閾値情報を通信データに重畳する（Ｓ４０６）。ｎ＝ＮまでＳ４０４〜Ｓ４０６を繰り返し、ｎ＝Ｎとなると（Ｓ４０７のＹＥＳ）、送信部２４ＮＮは受信状態ＡＮ情報重畳部２３ＮＮから取得した通信データを受信機３０Ｎへ送信する。受信機３０Ｎの受信部３１Ｎは上記受信した通信データを通信データ制御部４０へ出力する。また、受信部３１Ｎが通信データの受信を開始すると、受信状態Ｂ検出部３２Ｎは受信状態Ｂを検出し（Ｓ４０８）、受信状態Ｂ情報を受信状態Ｃ合成部３３Ｎへ出力する。そして主制御部３５Ｎはｎ＝１をセットし（Ｓ４０９）、通信データ制御部４０ＮではＳ３０６同様、受信状態Ａ群情報取得部４３Ｎは復号化された通信データに重畳されている受信状態Ａｎ情報を取得すると共に、受信状態Ａｎの閾値情報も取得する。そして、受信状態Ａ群閾値判定部４４Ｎは、受信状態Ａｎ情報と、対応する閾値情報とを比較し受信状態Ａｎが対応する閾値以上であると判定すると（Ｓ４１０のＹＥＳ）、主制御部３５Ｎはｎ＝Ｎでなければ（Ｓ４１１のＮＯ）、ｎ→ｎ＋１をセットし（Ｓ４１２）、Ｓ４１０へ戻る。ｎ＝Ｎとなると（Ｓ４１１のＹＥＳ）、すなわち、受信状態Ａ群閾値判定部４４Ｎは、受信状態Ａ群情報が全て閾値情報以上（受信状態Ａｎが良好）と判定すると（Ｓ４１０のＹＥＳ）、判定結果として受信状態Ａ群の受信状態は全て良好である情報を受信状態Ｂ閾値判定部３４Ｎへ出力する。その後Ｓ３０７〜Ｓ３０９と同様の処理であるＳ４１３〜Ｓ４１４を経て表示部３６は受信状態Ｃを「高」とし、表示部３６は受信状態Ｃを表示する（Ｓ４１５）。
【００４０】
Ｓ４１０で、受信状態Ａ群閾値判定部４４Ｎは、受信状態Ａｎ情報が対応する閾値情報未満であると判定すると（Ｓ４１０のＮＯ）、受信状態Ａ群閾値判定部４４Ｎは主制御部３５Ｎを通じ、当該受信状態Ａｎ情報を記憶部３９Ｎに記憶し、主制御部３５Ｎはｎ→ｎ＋１をセットする（Ｓ４１７）。次に受信状態Ａ群閾値判定部４４Ｎは受信状態Ａｎ情報と、対応する閾値情報とを比較し受信状態Ａｎ情報が対応する閾値情報未満と判定すると（Ｓ４１８のＮＯ）、受信状態Ａ群閾値判定部４４Ｎは主制御部３５Ｎを通じ当該受信状態Ａｎ情報を記憶部３９Ｎに記憶し、主制御部３５Ｎはｎ→ｎ＋１をセットする（Ｓ４１９）。そしてＳ４１８の処理に進む。
【００４１】
Ｓ４１８で、受信状態Ａ群閾値判定部４４Ｎは受信状態Ａｎが対応する閾値以上と判定すると（Ｓ４１８のＹＥＳ）、主制御部３５Ｎはｎ＝Ｎであるか否かを判定し（Ｓ４２０）、ｎ＝Ｎでなければ、主制御部３５Ｎはｎ→ｎ＋１をセットし（Ｓ４２１）、Ｓ４１８へ進む。Ｓ４２０でｎ＝ＮであればＳ３０７と同様、受信状態Ｂ閾値判定部３４Ｎは受信状態Ｂ情報が閾値情報以上と判定すると（Ｓ４２２のＹＥＳ）、記憶部３９Ｎに記憶した受信状態Ａ情報のうち何れか、又は、値が最も低い（悪い）受信状態Ａ情報を受信状態が悪いことを示す情報としての受信状態Ｃとするか、もしくは受信状態Ｃを受信状態が悪いことを示す情報としての「低」とする（Ｓ４２３）。表示部３６は受信状態Ｃを表示する（Ｓ４１５）。
【００４２】
Ｓ４２２で、受信状態Ｂ閾値判定部３４Ｎは受信状態Ｂ情報が閾値情報未満と判定する（Ｓ４２２のＮＯ）と、次に、Ｓ３１３と同様、受信状態Ａｎ・Ｂの少なくとも何れかが圏外なら（Ｓ４２４のＹＥＳ）受信状態Ｃ合成部３３Ｎは受信状態Ｃを受信状態が悪いことを示す情報として圏外とし（Ｓ４２５）、表示部３６に表示させる（Ｓ４１５）。
【００４３】
Ｓ４２４で受信状態Ａｎ・Ｂの何れも圏外でなければ（Ｓ４２４のＮＯ）受信状態Ｃ合成部３３Ｎは記憶部３９Ｎに記憶した受信状態Ａ情報のうち何れかを受信状態Ｃとするか（Ｓ４２６）、記憶部３９Ｎに記憶した受信状態Ａ情報のうち値が最も低い（悪い）受信状態Ａ情報を受信状態Ｃとする。又は受信状態Ｃを「低」としてもよい。表示部３６は受信状態が悪いことを示す情報としての受信状態Ｃを表示する（Ｓ４１５）。
【００４４】
Ｓ４２３・Ｓ４１５において、中継機が多数あり全ての受信状態を順次表示すると逆に通信システムトータルの受信状態が解り難くなるので、受信状態Ａ１〜ＡＮのうち悪いもののみを幾つか選択して、表示を切り替えてもよい。例えば中継機が１０個（Ｎ＝１０）の場合で、中継機２０Ｎ１・２０Ｎ５・２０Ｎ７のそれぞれの受信状態Ａ１・Ａ５・Ａ７が悪い場合、受信状態Ａ１・Ａ５・Ａ７のみ順次表示を切り替える。又は、受信状態Ａ１〜ＡＮのうち、事前に設定した閾値を下回るもののみ、又は、設定した件数（ワースト３件等）を順次表示を切り替えてもよい。
【００４５】
また、受信状態Ａ１〜ＡＮ・Ｂのうち、閾値を下回るものが一つのみの場合、その一つを受信状態Ｃとしてもよいし、複数存在する場合、その最も低いものを受信状態Ｃとしてもよい。また、中継機２０Ｎｎ（ｎ＝１〜Ｎ）のうち、送信機１０に最も近い中継機２０Ｎ１の受信状態Ａ１を受信状態Ｃとしてもよい。これは、送信機１０に最も近い中継機の受信状態が悪いと、その後の情報転送の受信状態がいくら良くても通信システム１Ｎ全体としての受信状態は悪くなるためである。または、受信状態Ａ１〜１Ｎ・Ｂのうち閾値を下回るもののみを時間的に切り替えて表示してもよいし、併せて表示、もしくは重ねて表示等してもよい。
【００４６】
（変形例１）
図１２は実施形態３の変形例１である通信システム１Ｎａを表す機能ブロック図である。通信システム１Ｎａは、通信システム１Ｎの受信機３０Ｎに替えて図１２に示す受信機３０Ｎａを備える。なお、図１２では送信機１０及びＮ個の中継機Ｎｎを省略している。受信機３０Ｎａは、受信機３０Ｎの通信データ制御部４０に替えて受信状態Ａ群閾値判定部４４Ｎを省略した通信データ制御部４０Ｎａと、さらに、比較部３８Ｎａとを備え、また、受信状態Ｂ閾値判定部３４Ｎを省略した構成である。
【００４７】
図１３は、通信システム１Ｎａの処理の流れを表すフローチャートである。Ｓ１０１〜Ｓ１０３・Ｓ４０４・Ｓ４０５と同様の処理であるＳ４３１〜Ｓ４３５の処理を経て、受信状態Ａｎ情報重畳部２３Ｎｎは、受信状態Ａｎ情報を受信部２１Ｎｎから取得した通信データに重畳する（Ｓ４３６）。そして、Ｓ４３７・Ｓ４３８としてＳ４０７・Ｓ４０８と同様の処理を経て、比較部３８Ｎａは受信状態Ａｎ情報としての受信状態Ａ１情報から受信状態ＡＮ情報の全てと受信状態Ｂ情報とを比較し（Ｓ４３９で）、比較結果として受信状態が最も悪いものを受信状態Ｃ合成部３３へ出力し、比較部３８から取得した受信状態Ａ１〜ＡＮ・Ｂのうち受信状態が悪いものを受信状態Ｃとし（Ｓ４４０）、受信状態Ｃ情報を表示部３６に出力する。そして、表示部３６は、受信状態Ａ１〜ＡＮ・Ｂのうち受信状態が悪いものを受信状態Ｃとして表示する（Ｓ４４１）。Ｓ４３９にて比較部３８Ｎａが行う受信状態の比較方法として、中継機２０Ｎ１〜２０ＮＮ・受信機３０Ｎａそれぞれの最大受信状態に対する比率を用いる等が考えられる。例えば受信状態Ａ５＝３Ｍｂｐｓ／Ｍａｘ１０Ｍｂｐｓ＝３０％であって、受信状態Ａ５以外の受信状態＝６Ｍｂｐｓ／Ｍａｘ１２Ｍｂｐｓ＝５０％等である。
【００４８】
（変形例２）
図１４は、実施形態３の変形例２に係る通信システム１Ｎａの処理の流れを表すフローチャートである。図１４に示すフローチャートは、図１３で示す処理に付随して処理される。図１２の通信システム１Ｎａでは、主制御部３５は受信状態Ａ１〜ＡＮの全てと受信状態Ｂとのうち悪いものの表示時間とその他の表示時間とを記憶する記憶部を有する。通信システム１Ｎａは図１３のＳ４３１〜Ｓ４３９の処理をする。Ｓ４３１〜Ｓ４３９の後、比較部３８Ｎａは、受信状態Ａｎ情報及び受信状態Ｂ情報のそれぞれを比較し（Ｓ４５１）受信状態が悪い方の情報を比較結果として受信状態Ｃ合成部３３Ｎへ出力する。主制御部３５Ｎは、上記比較結果から受信状態が悪い情報を優先表示するためにタイマ値を長く変更し（Ｓ４５２）タイマを開始する（Ｓ４５３）。次に、Ｓ４３１〜Ｓ４３８の処理を経た後、タイマが満了すると（Ｓ４５５のＹＥＳ）受信状態Ｃ合成部３３Ｎは表示部３６に受信状態Ａｎが表示中なら受信状態Ａｎ＋１（ｎは１〜Ｎ−１）を、受信状態ＡＮが表示中なら受信状態Ｂを、受信状態Ｂが表示中なら受信状態Ａ１を受信状態Ｃとする（Ｓ４５６）。Ｓ４５５でタイマが満了していない場合（Ｓ４５５のＮＯ）Ｓ４５６を飛ばし次のＳ４５７を行う。比較部３８は受信状態Ａｎ（ｎ＝１〜Ｎ）・Ｂの何れかが圏外なら（Ｓ４５７のＹＥＳ）受信状態Ａｎ・Ｂの何れかが圏外である旨の情報を受信状態Ｃ合成部３３に出力し、受信状態Ｃ合成部３３は受信状態Ｃを圏外とする（Ｓ４５８）。Ｓ４５７で受信状態Ａｎ・Ｂの何れも圏外でない場合（Ｓ４５７のＮＯ）、Ｓ４５８の処理を飛ばし次のＳ４５９の処理を行う。受信状態Ｃ合成部３３ＮはＳ４５６又はＳ４５８で生成した受信状態Ｃ情報を表示部３６へ出力する。これにより、表示部３６は、受信状態Ｃを表示する（Ｓ４５９）。Ｓ４５９にて表示部３６は、Ｓ４５６で生成した受信状態Ｃを表示する場合、受信状態Ａ１〜ＡＮ・Ｂのうち受信状態が悪いものを所定時間経過毎に他の受信状態より長時間表示することで優先的に表示する。または、Ｓ４５９にて表示部３６は、Ｓ４５８で生成した受信状態が悪いことを示す情報である圏外を受信状態Ｃとして表示する。そしてＳ４５１へ戻る。
【００４９】
Ｓ４５２にて受信状態Ａ１〜Ａｎ・Ｂの表示が一巡するまではタイマ値を変更せず固定していてもよい。Ｓ４５１・Ｓ４５２は受信状態Ａｎ・Ｂそれぞれの状態により主制御部３５のタイマ値を変更する場合に追加すればよい。また、Ｓ４５７とＳ４５８とは受信状態Ａｎ・Ｂの何れかが圏外の場合に「圏外」と表示部３６に表示する場合に追加すればよい。
【００５０】
〔ソフトウェアによる実現例〕
受信機３０の制御ブロック（特に通信データ制御部４０、受信状態Ｂ検出部３２および受信状態Ｃ合成部３３）は、集積回路（ＩＣチップ）等に形成された論理回路（ハードウェア）によって実現してもよいし、ＣＰＵ（Central Processing Unit）を用いてソフトウェアによって実現してもよい。
【００５１】
後者の場合、受信機３０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５２】
〔まとめ〕
本発明の態様１に係る受信機は、送信機からの通信データを中継機を介して受信する受信機において、上記送信機から上記中継機が受信する上記通信データの受信状態を示す第１受信状態情報を取得する第１受信状態取得部と、上記中継機から上記受信機が受信する上記通信データの受信状態を示す第２受信状態情報を検出する第２受信状態検出部と、上記第１受信状態情報と、上記第２受信状態情報とを表示部に表示させる受信状態表示制御部とを備えていることを特徴とする。上記構成によると、上記中継機から上記受信機が受信する上記通信データの受信状態に加え、上記送信機から上記中継機が受信する上記通信データの受信状態も上記表示部に表示される。このため、上記構成によると、上記送信機、上記中継機、及び上記受信機間全体の通信データの受信状態をユーザに視認させることができる。
【００５３】
本発明の態様２に係る受信機は、上記第１受信状態取得部と、上記第２受信状態検出部とに加えて、上記第１受信状態情報と、上記第２受信状態情報とのうち受信状態が悪い方を判定する判定部と、上記判定部が判定した悪い方の受信状態を示す情報を表示部に表示させる受信状態表示制御部とを備えている。上記構成によると、上記送信機、上記中継機、及び上記受信機間全体の通信データの受信状態をユーザに視認させることができる。さらに、上記第１受信状態情報と、上記第２受信状態情報とのうち何れか一方だけを表示することで、両方を表示する場合と比べて、表示を簡素化することができるため、視認性を向上させることができる。
【００５４】
本発明の態様３に係る受信機は、上記態様２において、上記判定部は、上記第１受信状態情報が、基準の状態より受信状態が悪いか否かを判定する第１判定部と、上記第２受信状態情報が基準の状態より受信状態が悪いか否かを判定する第２判定部とを備え、上記受信状態表示制御部は、上記第１判定部と上記第２判定部とのうち少なくとも一方が、上記基準の状態より受信状態が悪いと判定すると、受信状態が悪いことを示す情報を表示部に表示させることが好ましい。上記構成によると、受信状態の視認性を向上させることができ、また、一つの受信機で上記第１及び第２受信状態情報の良否判定が可能である。
【００５５】
本発明の態様４に係る受信機は、上記態様２において、上記受信状態表示制御部は、上記判定部が受信状態が悪いと判定した方の受信状態を示す情報の表示時間を長く、もう一方の受信状態を示す情報の表示時間を短く、上記表示部に順次表示させることが好ましい。上記構成によると受信状態の視認性を向上させることができる。また、上記第１受信状態情報と上記第２受信状態情報とのうち受信状態が悪くない方の受信状態もユーザに視認させることができ、利便性を向上させることができる。
【００５６】
本発明の態様５に係る通信システムは、上記態様１〜４のいずれかの受信機と、上記送信機からの上記通信データを受信する受信部と、当該通信データの受信状態を検出する第１受信状態検出部と、上記通信データ及び上記検出された通信データの受信状態を示す第１受信状態情報を上記受信機に送信する送信部とを有する中継機と、を備えていることが好ましい。上記構成により、上記送信機、上記中継機、及び上記受信機間全体の通信データの受信状態をユーザに視認させることができる。
【００５７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００５８】
本発明は、中継機を介して送信機から通信データを受信する受信機及び通信システムに利用することができる。
【符号の説明】
【００５９】
１  通信システム
１０  送信機
２０  中継機
２２  受信状態Ａ検出部（第１受信状態検出部）
２３  受信状態Ａ情報重畳部
３０  受信機
３２  受信状態Ｂ検出部（第２受信状態検出部）
３３  受信状態Ｃ合成部（受信状態表示制御部）
３４  受信状態Ｂ閾値判定部（判定部、第２閾値判定部）
３５  主制御部
３６  表示部
３８  比較部（判定部）
４３  受信状態Ａ情報取得部（第１受信状態取得部）
４４  受信状態Ａ閾値判定部（判定部、第１閾値判定部）
【図１】
2015043540.tif 000003
【図２】
2015043540.tif 000004
【図３】
2015043540.tif 000005
【図４】
2015043540.tif 000006
【図５】
2015043540.tif 000007
【図６】
2015043540.tif 000008
【図７】
2015043540.tif 000009
【図８】
2015043540.tif 000010
【図９】
2015043540.tif 000011
【図１０】
2015043540.tif 000012
【図１１】
2015043540.tif 000013
【図１２】
2015043540.tif 000014
【図１３】
2015043540.tif 000015
【図１４】
2015043540.tif 000016